(57)【特許請求の範囲】
【請求項１】
波状にプリーツ加工された全体が矩形の濾過式フィルター材と、相互に組付け・分離可能な第１枠体及び第２枠体からなるフィルター枠とを備え、
前記第１枠体は、通気口となる開口部と、前記フィルター材の表裏いずれか片面側から波状周縁部に被着される面枠部と直状周縁部に被着される面枠部を有する枠部と、前記フィルター材の波状面の隣接する山部間に挿入されてフィルター材のプリーツ折り線方向と直角方向の形状寸法を規制する少なくとも１つの突部を前記波状周縁部に被着される面枠部の内面に有し、
前記第２枠体は、通気口となる開口部と、前記フィルター材の表裏いずれか片面側から波状周縁部に被着される面枠部と直状周縁部に被着される面枠部とこの第２枠体の各面枠部の外側辺から内方に延在してフィルター材の矩形の四辺に被着される辺枠部を有する枠部と、前記フィルター材のプリーツ折り線と平行な前記面枠部の内面に、この面枠部から起立する前記辺枠部とでフィルター材のプリーツ折り線と平行な直状の周縁部が挿入されるとこの直状周縁部を仮止め保持する係止溝を形成する係止板を一体に有し、
前記第２枠体にフィルター材の周縁部をこの周縁部の表裏いずれか片面側から嵌合させて、フィルター材の両端の直状周縁部を対応する前記係止溝に挿入して仮保持させ、次に前記第１枠体をフィルター材の周縁部の他の片面側から嵌合させて第１枠体と第２枠体とをフィルター材を収容して相互に組付けた空気清浄用フィルター装置。
【発明の詳細な説明】
【０００１】
【発明の属する技術分野】
本発明は、空調用途や空気清浄機用として広く利用されている波状の濾過式フィルター材を使用したフィルター装置で、詳しくは波状にプリーツ加工された濾過式フィルター材の周縁部に補強用枠体を嵌着した空気清浄用フィルター装置に関する。
【０００２】
【従来の技術】
空気を浄化するフィルター材は、不織布や濾紙等の素材を波状にプリーツ加工して空気が通過する表面積を大きくした濾過式フィルター材が一般的である。この種のフィルター材は、例えば図１４に示すように大面積の不織布や濾紙の反物状の素材を幅方向に定ピッチで交互に逆方向に折り曲げて三角波状にプリーツ加工して製造される。
【０００３】
図１４の波状フィルター材１は、波状面の波ピッチｐが不揃いになると空気浄化機能が低下することから、波状フィルター材１の波状周縁部１ａの端面に補強材２を接着剤やホットメルト法等で固定して製品化される。或いは、図示しない特殊な用途の波状フィルター材においては、その周縁部に矩形の木枠を接着剤等で一体に組み付けて、木枠で波状フィルター材の形状を固定化した木枠組みフィルター装置として製品化されている。
【０００４】
図１４の補強材２は、波状フィルター材１の波ピッチｐを一定に揃えて、フィルター材１の波板形状を維持させ、全体の寸法形状を安定させる。すなわち、波状フィルター材１の波方向を横方向とすると、フィルター材１は横方向で伸縮して形状が安定せず、このままのフィルター材１の波状の対向二辺の周縁部１ａと残りの対向二辺の直状周縁部１ｂに仮に矩形の枠体を嵌着して補強しても、枠体に対して波状フィルター材１が伸縮して枠体から外れたり、フィルター材１の横方向での波ピッチｐが大小不揃いとなる等の不具合が生じることから、フィルター材１の波状周縁部１ａの開放端面に波ピッチｐを固定化する補強材２を固着している。この種の補強材２は、伸縮しないテープや線条等であり、テープの場合はフィルター材１の波状周縁部１ａの端面の開口を塞ぎ、この開口端面からの空気のリークを抑制して、フィルター材全体の濾過性能、空気浄化機能を高める。
【０００５】
【発明が解決しようとする課題】
上記のような波状フィルター材の単品は量産が容易で安価に製作できるが、波状フィルター材に形状を安定させるための補強材や木枠を固着する作業工程の作業性が悪くて、波状フィルター材を使用したフィルター装置の製造組立コストの低減化が難しい。また、補強材のために空気清浄用フィルター材単体の部品点数が多くなり、その分、材料コストが高くなる。特に、木枠組みフィルター材を使用したものは、厚みが大きくて嵩張り、輸送コストが高く付くと共に、廃棄処理時に木枠との接着剤等の温度管理やフィルター材のリサイクルの面で問題の多い廃棄物となっており、廃棄等の処理コストが高くなる問題がある。
【０００６】
さらに、波状フィルター材は汚れると洗浄して再生するか、廃棄して新しいものと交換されるが、洗浄再生の場合に波状フィルター材の入り組んだ形状から効果的な洗浄が困難であり、洗浄後の再生も入り組んだ嵩張る形状から再生装置が大型化する問題がある。また、汚れた波状フィルター材を廃棄して新品と交換する場合には、次のことが問題となる。交換されるフィルター材の新品は、フィルター製造工場等に保管され、工場出荷されて店頭販売等されるが、このような交換用フィルター材は、波状フィルター材の波ピッチを補強材等で固定化して全体のサイズを再使用される定形の枠体サイズに合わせたものであるため、交換用フィルター材を定形の枠体サイズより小形に縮小化して保管し、輸送して店頭販売等することが難しくて、交換用フィルター材の保管スペース、店頭販売スペースの縮小化と輸送コストの低減化が難しい。
【０００７】
本発明の目的は、製造組立コストや輸送コストの低減化が容易であり、フィルター材の洗浄再生処理が有利に行える空気清浄用フィルター装置を提供することにある。
【０００８】
【課題を解決するための手段】
本発明の上記目的を達成する技術的手段は、波状にプリーツ加工された全体が矩形の濾過式フィルター材と、相互に組付け・分離可能な第１枠体及び第２枠体からなるフィルター枠とを備え、第１枠体は通気口となる開口部と、フィルター材の表裏いずれか片面側から波状周縁部に被着される面枠部と直状周縁部に被着される面枠部を有する枠部と、フィルター材の波状面の隣接する山部間に挿入されてフィルター材のプリーツ折り線方向と直角方向の形状寸法を規制する少なくとも１つの突部を波状周縁部に被着される面枠部の内面に有し、第２枠体は、通気口となる開口部と、フィルター材の表裏いずれか片面側から波状周縁部に被着される面枠部と直状周縁部に被着される面枠部とこの第２枠体の各面枠部の外側辺から内方に延在してフィルター材の矩形の四辺に被着される辺枠部を有する枠部と、フィルター材のプリーツ折り線と平行な前記面枠部の内面に、この面枠部から起立する前記辺枠部とでフィルター材のプリーツ折り線と平行な直状の周縁部が挿入されるとこの直状周縁部を仮止め保持する係止溝を形成する係止板を一体に有し、第２枠体にフィルター材の周縁部をこの周縁部の表裏いずれか片面側から嵌合させて、フィルター材の両端の直状周縁部を対応する係止溝に挿入して仮保持させ、次に第１枠体をフィルター材の周縁部の他の片面側から嵌合させて第１枠体と第２枠体とをフィルター材を収容して相互に組付けた構造を特徴とする。
【０００９】
ここで、第１枠体と第２枠体はアルミフレームや樹脂フレーム等の枠で、各々が波状フィルター材の周縁部に分離可能に被着嵌合され、被着時にフィルター材を補強してその波状の形状を維持させる。また、第１枠体と第２枠体が被着嵌合されるフィルター材は、濾紙等を波状にプリーツ加工しただけの単品の適用が可能であり、このフィルター材は一対の枠体が外されると反物状に引き延ばされて簡単かつ効果的に洗浄等され、或いは、波ピッチが最小になるように折り畳まれて最小スペースでもって保管等されるものの適用が可能である。
【００１１】
第１枠体がその面枠部の外側辺から屈曲状に起立してフィルター材の各辺を支持する辺枠部を更に有して、第１枠体の辺枠部と第２枠体の辺枠部とを相互に入れ込み状に組付けるようにする。
【００１２】
【発明の実施の形態】
以下、実施形態を図１乃至図８、図９乃至図１３で、順に説明する。
【００１３】
図１の分解図に示される空気清浄用フィルター装置は、全体が矩形の波状濾過式フィルター材３と、フィルター材３の矩形の周縁部に、この周縁部の表裏両面側から脱着可能に嵌着される第１枠体４と第２枠体５で構成される。フィルター材３は、例えば反物状の長尺な不織布や濾紙等の素材を定ピッチで交互に逆方向に折り曲げて三角波状にプリーツ加工したものを所定長さで切断して製造される。矩形のフィルター材３の周縁部は、谷部ｍと山部ｎが交互に連続する対向２辺の波状周縁部３ａと、残りの対向２辺の直状周縁部３ｂで形成される。フィルター材３の素材はプリーツ加工性に優れた、かつ、洗浄において形状が変化し難いヒート加工性に富み耐熱性に優れたものが望ましい。また、一対の各枠体４，５が嵌着される前のフィルター材３の波ピッチｐ（隣接する山部間隔、又は、隣接する谷部間隔）は任意であり、このフィルター材３は波板方向に伸展又は圧縮自在である。
【００１４】
一対の第１枠体５と第２枠体４は、何回もの洗浄が可能で寸法安定性に優れたアルミニウムや樹脂等の素材からなるほぼ同一寸法形状の枠部材である。第１枠体４は、例えばフィルター材３の表裏いずれか片面側から波状周縁部３ａに被着される面枠部４’ａと直状周縁部３ｂに被着される面枠部４’ｂと、この各面枠部４’ａ、４’ｂの外側辺から内方に一体に延在してフィルター材３の矩形の四辺に被着される辺枠部４”ａ、４”ｂを有する。第２枠体５は、フィルター材３の表裏いずれか片面側から波状周縁部３ａに被着される面枠部５’ａと直状周縁部３ｂに被着される面枠部５’ｂと、この各面枠部５’ａ、５’ｂの外側辺から内方に一体に延在してフィルター材３の矩形の四辺に被着される辺枠部５”ａ、５”ｂを有する。
【００１５】
また、フィルター材３の波状周縁部３ａに被着される第１枠体４の各面枠部４’ａにフィルター材３の波板形状を規制する突部６が形成される。突部６は、面枠部４’ａの内面の１箇所、或いは、等間隔の複数箇所に打ち出し成形等で突設され、図面では１つの面枠部４’ａの長手方向の中央部を含む複数箇所に突部６を形成している。１つの突部６の形状サイズは、例えば図３に示すように波状フィルター材３の１つの谷部ｍに波幅方向で係止するように設定される。波状フィルター材３の波状周縁部３ａの任意箇所の谷部ｍの各々に突部６が係止することで、フィルター材３の波方向の伸縮動作が突部６で規制されて、フィルター材３の形状が所定波ピッチｐのほぼ定形の波板形状に維持される。このような突部６の数は、フィルター材３の複数の谷部ｍと同数に設定してもよいが、谷部ｍより少数に設定することが後述するフィルター装置の組立性をより良好にする上で望ましい。
【００１６】
第１枠体４がアルミニウム板製品の場合、例えば図６に示すように面枠部４’ａと辺枠部４”ａの断面Ｌ形フレーム４ｃと、面枠部４’ｂと辺枠部４”ｂの断面Ｌ形フレーム４ｄの端面同士を直角に突き合わせ、突き合わせ部分をアルミニウムのＬ形連結板４ｅで連結するようにして、第１枠体４を矩形に製造するようにすれば、安価に量産性良く製造できる。第２枠体５も第１枠体４と同様に製造すればよい。
【００１７】
波状フィルター材３の矩形の周縁部に第１枠体４と第２枠体５を嵌着したフィルター装置を図２に示し、その各断面図を図３と図４に示す。このフィルター装置の組立は、まず第２枠体５に波状フィルター材３の周縁部をこの周縁部の表裏いずれか片面側から嵌合させ、次に第１枠体４をフィルター材３の周縁部の他の片面側から嵌合させて行われる。フィルター材３の表裏両面側からの両枠体４，５の嵌合は、この両者の辺枠部４”ａと５”ａ、及び、辺枠部４”ｂと５”ｂをフィルター材３の矩形の端面に沿わせて重合させた状態で、互いに分離分割可能に結合させることで行われる。
【００１８】
例えば、図３に示すように第２枠体５に波状フィルター材３の周縁部を嵌合させると、全体を略水平にして第２枠体５を波状フィルター材３の波方向である横方向に手動で振動させて、フィルター材３の全体の波ピッチｐが均等になるようにする。このときのフィルター材３は、その対向２辺の波状周縁部３ａが第２枠体５の面枠部５’ａ上にほぼ自由に保持された状態で波方向左右に振動して、波板の弾性復原力で波ピッチｐが均等化する。次に、略水平な第２枠体５の真上から第１枠体４を被せて両枠体４，５を合体させ、そのまま両者を離脱可能に係合させる。
【００１９】
この両枠体４，５の嵌合による合体は、次のようにすることが後述理由で望ましい。すなわち、図１と図５に示される第１枠体４の辺枠部４”ａの両端に形成したスリット７を第２枠体５の辺枠部５”ｂの両端部に嵌挿して、第２枠体５の辺枠部５”ｂの外面に第１枠体４の辺枠部４”ｂを重合させ、かつ、図４に示すように第２枠体５の辺枠部５”ａの内面とフィルター材３の波状周縁部３ａの端面の間に第１枠体４の辺枠部４”ａを嵌挿させる。
【００２０】
上記のようにフィルター材３が嵌着された第２枠体５の辺枠部５”ｂの外面に第１枠体４の辺枠部４”ｂを重ねるように嵌挿することで、第１枠体４がフィルター材３の直状周縁部３ｂに邪魔されること無く容易に第２枠体５に嵌合できるようになる。また、フィルター材３が嵌着された第２枠体５の辺枠部５”ａとフィルター材３の波状周縁部３ａの端面の間に第１枠体４の辺枠部４”ａを嵌挿させることで、第１枠体４の辺枠部４”ａがフィルター材３の波状周縁部３ａの開口端面を直接に塞いで、この端面開口からの空気のリークを抑制してフィルター材３の空気浄化機能を安定した良好なものにする。
【００２１】
ここで、図１の寸法引出線に示すように第２枠体４の対向する２辺の辺枠部５”ａの離隔寸法をＬとし、フィルター材３の波線方向の長さをＤとすると、Ｌ＝Ｄ〜（Ｄ−０．５ｍｍ）の範囲に規制することが望ましい。この寸法規制でフィルター材３が嵌着された第２枠体５の辺枠部５”ａとフィルター材３の波状周縁部３ａの端面の間に第１枠体４の辺枠部４”ａが作業性良く確実に嵌挿でき、かつ、第１枠体４の辺枠部４”ａがフィルター材３の波状周縁部３ａの開口端面を気密に塞いで、この端面開口からの空気のリークを効果的に抑制し、フィルター材３の空気浄化機能をより安定した良好なものにする。なお、Ｌ＞Ｄであると第１枠体４の辺枠部４”ａとフィルター材３の波状端面の間に隙間ができて空気のリーク量が増大し、フィルター材３の空気浄化機能が低下する。また、Ｌ＜（Ｄ−０．５ｍｍ）であると第１枠体４をフィルター材３に嵌挿するときに辺枠部４”ａがフィルター材３の波状周縁部３ａに引っ掛かって第１枠体４の第２枠体５への組付作業が難しくなる。
【００２２】
また、上記のようにフィルター材３が嵌着された第２枠体５の辺枠部５”ａとフィルター材３の波状周縁部３ａの端面の間に第１枠体４の辺枠部４”ａを嵌挿させることで、第１枠体４の面枠部４’ａの突部６がフィルター材３の谷部ｍに係止して、フィルター材３の波状の形状が安定したものとなる。なお、図示しないが仮に第２枠体にも第１枠体と同様な突部を形成した場合、上記のように第２枠体に嵌着した波状フィルター材を左右に振動させて波ピッチを均等化するときに、第２枠体の突部が邪魔となって波ピッチの均等化作業が難しくなるので、かかる突部は一方の第１枠体だけに設けることが有効である。
【００２３】
図２の空気清浄用フィルター装置は、フィルター材３がゴミ等の付着で汚れて空気清浄機能が低下すると、第１枠体４と第２枠体５が分離されてフィルター材３が取り外され、汚れたフィルター材３だけが廃棄処分されるか、後述のように洗浄リサイクル処理され、一対の各枠体４，５は新品かリサイクルされたフィルター材に再使用される。新品の交換用フィルター材は、例えば図７に示す波状フィルター材３’である。この交換用フィルター材３’は凹凸波の幅方向に伸縮自在であることから、幅方向に縮小させて最小サイズかつ最小体積の状態で保管し、輸送して店頭販売等されるものの適用が、交換品の保管スペースや店頭販売スペースの縮小化、輸送コストの低減化の上で望ましい。
【００２４】
なお、汚れたフィルター材３のリサイクルのための洗浄は、波状フィルター材３の単体が伸縮自在であることから、例えば図８に示す各工程で行うことが可能であり望ましい。まず、汚れた単体の波状フィルター材３を引き延ばしながら予洗槽１１内で６０〜７０℃のアルカリ洗浄液に浸漬して予備洗浄してから、本洗槽１２内で６０〜７０℃の洗浄水で高圧スプレーし超音波振動を加えて本洗浄する。本洗浄されたフィルター材３をすすぎ槽１３内で常温の防汚加工剤入り水流による高圧スプレーですすぎをしてから、フィルター材３を脱水ローラ１４に通して常温で強制脱水し、最後に乾燥炉１５に通して９０〜１００℃の熱風で強制乾燥する。このように波状フィルター材を反物状に引き延ばしながら連続的に洗浄し乾燥させることで、省スペースでの高速洗浄が容易となり、波状フィルター材のリサイクルの実用化を容易にする。
【００２５】
次に、図９乃至図１３に示される空気清浄用フィルター装置を説明する。このフィルター装置の基本構造は、図１の実施形態と同様であり、図９のフィルター装置における図１のフィルター装置と同一、又は、相当する部分には同一符号を付して説明の重複を避ける。
【００２６】
図９（Ａ）、（Ｂ）に示されるフィルター装置における第１枠体４と第２枠体５は、例えば樹脂成形品である。第１枠体４は、図１０及び図１１に示すように矩形の面枠部４’ａ、４’ｂを有し、この面枠部４’ａ、４’ｂが矩形のフィルター材３の片面側の周縁部に当接するようにしてある。第２枠体５は、図１２及び図１３に示すように矩形の面枠部５’ａ、５’ｂとその各外側辺から一体に屈曲させた辺枠部５”ａ、５”ｂを有し、この面枠部５’ａ、５’ｂが矩形のフィルター材３の他面側の周縁部に当接し、辺枠部５”ａ、５”ｂがフィルター材３の矩形の端面に対峙するようにしてある。
【００２７】
図９の実施形態は、フィルター材３の直状周縁部３ｂに対応する第２枠体５の面枠部５’ｂの内面に係止板５ｃを一体に起立状に成形して、係止板５ｃとこれに対向する辺枠部５”ｂとの間に所定幅の係止溝５ｄを形成し、この係止溝５ｄにフィルター材３の直状周縁部３ｂを挿入して仮保持させることを特徴とする。係止板５ｃの面枠部５’ｂからの高さは、辺枠部５”ｂの高さよりフィルター材３の厚さ程度だけ低く設定される。係止溝５ｄの幅は、フィルター材３の厚さの数倍程度に設定されて、この係止溝５ｄに図９（Ａ）又は（Ｂ）に示すようにフィルター材３の直状周縁部３ｂの外側１枚分又は２枚分が挿入されるようにしてある。
【００２８】
上記第２枠体５に波状フィルター材３を手動で嵌着する場合、図７に示すように圧縮されたフィルター材３を両手で規定サイズ程度まで拡げて、両端の直状周縁部３ｂを対応する係止溝５ｄに挿入する。例えば、図９（Ａ）に示すように係止溝５ｄにフィルター材３の直状周縁部３ｂの最外側の１枚を挿入して、この１枚と２枚目の間の谷部ｍを係止板５ｃに係止させる。或いは、図９（Ｂ）に示すように係止溝５ｄにフィルター材３の直状周縁部３ｂの最外側の１枚と次の２枚目を重ねた状態で挿入して、２枚目と３枚目の間の谷部ｍを係止板５ｃに係止させる。
【００２９】
図９（Ａ）、（Ｂ）のようにフィルター材３の両端の直状周縁部３ｂを係止板５ｃに係止させて仮保持させることで、第２枠体５内でフィルター材３が規定サイズに保持されて、第２枠体５へのフィルター材３の組付作業が簡単迅速に行えるようになる。また、第２枠体５内でフィルター材３が規定サイズに保持され、伸縮等して形状が安定しなかった直状周縁部３ｂが係止溝５ｄに挿入されることで形状が安定するので、次に行われる第２枠体５への第１枠体４の組付作業が容易になる。
【００３０】
なお、図９の実施形態における第１枠体４は、上記係止板５ｃを有する第２枠体５に対応させた図１０及び図１１に示す形状が望ましい。すなわち、第１枠体４の矩形の面枠部４’ａ、４’ｂを、その外面の外側辺に一体に屈曲させたリブ部４ｃで補強し、波状フィルター材３の波状周縁部３ａに対応する面枠部４’ａの内面にフィルター材３の形状を規制する突部６を一体に形成し、波状フィルター材３の直状周縁部３ｂに対応する面枠部４’ｂの内面に第２枠体５の係止溝５ｄに嵌挿される突片４ｄを一体に形成する。
【００３１】
図９に示すように、第２枠体５に係止溝５ｄを利用してフィルター材３を嵌着した後、第２枠体５に第１枠体４を嵌合させるとき、第１枠体４の突片４ｄを係止溝５ｄに嵌挿して、係止溝５ｄに先に嵌挿されたフィルター材３の直状周縁部３ｂを突片４ｄで係止板５ｃに押圧するようにする。このようにすることで両枠体４，５で挟持されたフィルター材３の伸縮し易い直状周縁部３ｂが強固に固定化されて、波状フィルター材３の変形が確実に防止される。
【００３２】
なお、図１０及び図１１に示される第１枠体４においては、矩形の面枠部４’ａ、４’ｂの内側辺に格子枠４ｅを一体に形成して、フィルター材３の脱落を防止するようにしている。同様に図１２及び図１３に示される第２枠体５においても、その矩形の面枠部５’ａ、５’ｂに格子枠５ｅを一体に形成しているが、これらの格子枠４ｅ，５ｅは必ずしも必要としない。
【００３３】
本発明は以上の実施形態に限らず、特に第１枠体と第２枠体の形状はその材質によって適宜改変されるもので、例えば第２枠体にフィルター材の端面の各辺を支持する辺枠部を設けると、他方の第１枠体には必ずしも同様な辺枠部を設ける必要が無くて、第１枠体はフィルター材の形状を規制する突部を有する面枠部だけで構成することも可能である。
【００３４】
【発明の効果】
本発明によれば、波状フィルター材の周縁部の表裏両面側から一対の第１枠体と第２枠体を分離可能に被着嵌合させ、一方の枠体の突部をフィルター材の波状周縁部の谷部に係止させてフィルター材を所定の波板形状に保持した状態でフィルター材を定形に補強したので、フィルター材に不織布や濾紙等を単に波状に折り込んだ量産が容易で製作費の安い単品が使用できて、フィルター装置の材料費、製造組立コストの低減化が可能となる。また、フィルター材からの第１枠体と第２枠体の分離が容易であり、さらに、枠体から分離されたフィルター材を反物状に引き延ばして洗浄し乾燥させることが容易となって、フィルター材のリサイクルと、リサイクル設備の省スペース化が容易となる。また、汚れたフィルター材の交換品も伸縮可能な波状フィルター材であるため、この交換品を枠体サイズより小形に縮小して包装、保管、店頭販売等することができ、このようにすることで交換用フィルター材の保管費や輸送コストの低減化、保管スペースと店頭販売スペースの縮小化が可能となる。
【００３５】
また、第２枠体に波状フィルター材の直状周縁部が嵌挿されて仮保持される係止溝を形成することで、波状フィルター材の伸縮して形状が安定しない直状周縁部の形状が第２枠体に嵌着される時点で安定して、第２枠体への波状フィルター材の取付作業が容易になり、かつ、第２枠体への第１枠体の取付作業もフィルター材で邪魔されることなく容易になって、フィルター装置の組立作業の改善が図れる。
【００３６】
また、波状フィルター材の周縁部の端面で第１枠体と第２枠体の辺枠部を重合させ、フィルター材の波状周縁部の谷部に係止する突部を有する第１枠体の辺枠部でフィルター材の波状周縁部の端面の開口を塞ぐようにすることで、フィルター材の波状周縁部の開口端面からの空気のリークが抑制されて、フィルター材全体の空気清浄機能が強化される。
【図面の簡単な説明】
【図１】本発明の第１の実施形態を示す空気清浄用フィルター装置の分解斜視図。
【図２】図１フィルター装置の組立後の斜視図。
【図３】図２Ｔ１−Ｔ１線に沿う拡大断面図。
【図４】図３Ｔ２−Ｔ２線に沿う断面図。
【図５】図１フィルター装置における第１枠体と第２枠体の部分拡大斜視図。
【図６】図１フィルター装置における第１枠体の部分斜視図。
【図７】図１フィルター装置におけるフィルター材の保管時等の斜視図。
【図８】フィルター材の洗浄乾燥工程システムの概要を示す側面図。
【図９】（Ａ）、（Ｂ）は本発明の第２の実施形態を示す空気清浄用フィルター装置の部分断面図。
【図１０】図９フィルター装置における第１枠体の底面図。
【図１１】図１０Ｔ３−Ｔ３線に沿う断面図とその部分拡大図。
【図１２】図９フィルター装置における第２枠体の平面図。
【図１３】図１２Ｔ４−Ｔ４線に沿う断面図とその一部拡大図。
【図１４】従来の空気清浄用フィルター装置における波状フィルター材の斜視図。
【符号の説明】
３    フィルター材
３ａ    波状周縁部
３ｂ    直状周縁部
ｍ    谷部
ｎ    山部
４    第１枠体
４’ａ、４’ｂ    枠部、面枠部
４”ａ、４”ｂ    枠部、辺枠部
５    第２枠体
５’ａ、５’ｂ    枠部、面枠部
５”ａ、５”ｂ    枠部、辺枠部
５ｃ  係止板
５ｄ  係止溝
６    突部
【図１】
0003809865.tif 000002
【図２】
0003809865.tif 000003
【図３】
0003809865.tif 000004
【図４】
0003809865.tif 000005
【図５】
0003809865.tif 000006
【図６】
0003809865.tif 000007
【図７】
0003809865.tif 000008
【図８】
0003809865.tif 000009
【図９】
0003809865.tif 000010
【図１０】
0003809865.tif 000011
【図１１】
0003809865.tif 000012
【図１２】
0003809865.tif 000013
【図１３】
0003809865.tif 000014
【図１４】
0003809865.tif 000015